(57)【特許請求の範囲】
【請求項１】
内視鏡の挿入部の先端部側に着脱可能な内視鏡洗浄具であって、
前記挿入部における前記先端部の基端に連設された湾曲部の外周面において、前記湾曲部の先端側に配置され接着剤から形成された先端側接着部と、前記湾曲部の基端側に配置され接着剤から形成された基端側接着部とを被覆可能な筒状の被覆部を具備することを特徴とする内視鏡洗浄具。
【請求項２】
前記挿入部の前記先端部に対して流体を供給するための流体供給部をさらに具備し、
前記被覆部は、前記先端側接着部及び前記基端側接着部の各外周面と前記被覆部の内周面との間に隙間部を形成するように少なくとも前記湾曲部を被覆し、
前記流体供給部は、前記被覆部が前記湾曲部を被覆した際に、前記隙間部に向かって形成される第１供給口を有することを特徴とする請求項１に記載の内視鏡洗浄具。
【請求項３】
前記第１供給口は、中心軸の延長線が前記隙間部に対向して形成されていることを特徴とする請求項２に記載の内視鏡洗浄具。
【請求項４】
前記流体供給部は、前記第１供給口とは異なる第２供給口を有し、
前記第２供給口は、中心軸の延長線が前記挿入部の前記先端部に形成された前記挿入部内の管路の開口に対向して形成されていることを特徴とする請求項３に記載の内視鏡洗浄具。
【請求項５】
前記被覆部は、網状管から構成されていることを特徴とする請求項１に記載の内視鏡洗浄具。
【発明の詳細な説明】
【技術分野】
【０００１】
本発明は、内視鏡の挿入部の先端部側に着脱可能な内視鏡洗浄具に関する。
【背景技術】
【０００２】
近年、消化管系及び膵胆管系等にある疾患部分を、所謂側視型内視鏡（以下、単に内視鏡と称す）を用いて観察、処置することが行われている。【０００３】
内視鏡は、被検体内に挿入される挿入部の先端部における先端硬質部材の外周側面の一部に、観察窓や照明窓が設けられている。【０００４】
また、先端硬質部材の外周側面において、観察窓や照明窓を除く位置にカバーが被覆された構成も周知である。【０００５】
また、膵管、胆管、または肝管等の内視鏡処置の際は、通常、内視鏡の挿入部の先端部を十二指腸乳頭付近まで挿入する。次いで、そこからＸ線透視下において、挿入部内に設けられた管路である処置具挿通用チャンネルにおけるチャンネル開口部からガイドワイヤを突出させて膵管、胆管、または肝管に挿入する。その後、ガイドワイヤをガイドにしてカテーテル等の処置具を膵管、胆管、または肝管に選択的に挿入する手法が用いられている。【０００６】
また、先端部内に設けられた起上台を用いて、チャンネル開口部を介してガイドワイヤまたは処置具を膵管、胆管、または肝管に挿入する構成も周知である。【０００７】
起上台は、処置具挿通用チャンネルに挿通されたガイドワイヤまたは処置具の進行方向を起上により可変させる。【０００８】
また、起上台は、先端硬質部材に対して回動自在に軸支されている。起上台の起上、降下は、挿入部内に挿通されるとともに先端が起上台に固定された操作ワイヤが、内視鏡の操作部に設けられた起上台操作ノブによって牽引弛緩されることによる起上台の回動によって行われるのが一般的である。【０００９】
ここで、側視型内視鏡は、使用後、再度使用するためには洗浄消毒する必要がある。ところが、先端硬質部材には、上述したように、外周側面に、上述した観察窓、照明窓や、起上台、チャンネル開口部等々、凹凸を有する部材が多く設けられている。【００１０】
このため、これら凹凸までも確実に洗浄消毒するためには、先端硬質部材、観察窓、照明窓、起上台、チャンネル開口部等の先端部を構成する部材の洗浄消毒処理は、先端硬質部材からカバーを除去して、通常の内視鏡の洗浄消毒処理に加えて別に行う必要が生じる。【００１１】
そこで、日本国特開２０１５−１８１９１４号公報には、先端部の先端硬質部材に被覆されるとともに、先端硬質部材、観察窓、照明窓、起上台、チャンネル開口部等の先端部を構成する部材に、流体供給部から洗浄消毒液等の流体を局所的に供給できる内視鏡洗浄具が開示されている。【００１２】
ところで、挿入部において、先端部の基端に複数方向に湾曲自在な湾曲部が連設されている構成が周知である。【００１３】
湾曲部の外周面を構成するゴム等から構成された外皮は、湾曲部の先端位置及び基端位置において、糸によって巻き付けられた後、接着剤によって固定される。即ち、湾曲部の先端及び基端には、糸巻き部位が接着剤によって固められた先端側接着部及び基端側接着部が配置されている。【００１４】
しかしながら、日本国特開２０１５−１８１９１４号公報に開示された内視鏡洗浄具は、円筒形状に切り欠きを有する、所謂ハーフパイプ形状をしている洗浄具であるとともに、上述したように、洗浄消毒処理の際に先端部に被覆されるため、先端側接着部の一部及び基端側接着部は、露出された状態のままである。【００１５】
よって、シンク等にて行う内視鏡の洗浄消毒処理の際、シンクへの接触によりこれら接着部の外表面に傷が付きやすいといった問題があった。【００１６】
各接着部の外表面に傷が付いてしまうと、ケミカルアタック性が強い洗浄消毒液が接着剤に浸透しやすくなるため、接着剤の劣化が早まってしまうといった問題があった。【００１７】
本発明は、上記問題点に鑑みなされたものであり、湾曲部の外周面に露出された先端側接着部及び基端側接着部の洗浄消毒処理に対する耐久性を向上させることができる内視鏡洗浄具を提供することを目的とする。
【発明の開示】
【課題を解決するための手段】
【００１８】
本発明の一態様における内視鏡洗浄具は、内視鏡の挿入部の先端部側に着脱可能な内視鏡洗浄具であって、前記挿入部における前記先端部の基端に連設された湾曲部の外周面において、前記湾曲部の先端側に配置され接着剤から形成された先端側接着部と、前記湾曲部の基端側に配置され接着剤から形成された基端側接着部とを被覆可能な筒状の被覆部を具備する。
【図面の簡単な説明】
【００１９】
【図１】本実施の形態の内視鏡洗浄具により挿入部の先端部側が洗浄消毒される先端カバーを外した内視鏡を示す図
【図２】図１の先端カバーを外した内視鏡の先端部側を、内視鏡洗浄具を用いて洗浄消毒する洗浄消毒システムを示す図
【図３】図１の内視鏡の挿入部の先端側と、内視鏡洗浄具とを示す部分斜視図
【図４】図３の内視鏡洗浄具の分解斜視図
【図５】図３の内視鏡洗浄具が、内視鏡の挿入部の先端側に装着された状態を示す部分斜視図
【図６】図１の内視鏡の挿入部の先端部に先端カバーを装着する前の状態を示す部分分解斜視図
【図７】図６の先端カバーにおける第１カバーから外された第２カバーを示す斜視図
【図８】図６中のVIII-VIII線に沿う内視鏡の挿入部の先端部に、先端カバーを装着していく途中の状態を示す部分断面図
【図９】図８の内視鏡の挿入部の先端部に、先端カバーを装着した状態を示す部分断面図
【図１０】図５中のX-X線に沿う内視鏡の挿入部の先端側及び内視鏡洗浄具の部分断面図
【図１１】図５中のX-XI線に沿う内視鏡の挿入部の先端側及び内視鏡洗浄具の部分断面図
【図１２】図４の内視鏡洗浄具の洗浄具本体における後側部材を、網状管から構成した変形例を示す斜視図
【図１３】図３の内視鏡洗浄具のブラシが挿通される流体供給ポートのみ、他のポートよりも長く形成された変形例を示す斜視図
【発明を実施するための最良の形態】
【００２０】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００２１】
図１は、本実施の形態の内視鏡洗浄具により挿入部の先端部側が洗浄消毒される先端カバーを外した内視鏡を示す図である。【００２２】
図１に示すように、内視鏡１は、被検体内に挿入される挿入部２と、該挿入部２の挿入方向Ｓの基端側に連設された操作部６と、該操作部６から延出されたユニバーサルコード１１と、該ユニバーサルコード１１の延出端に設けられたコネクタ１２とを具備して主要部が構成されている。【００２３】
尚、コネクタ１２を介して、内視鏡１は、制御装置や照明装置等の外部装置と電気的に接続される。【００２４】
挿入部２は、先端側から順に、先端部３と湾曲部４と可撓管部５とを具備して構成されており、挿入方向Ｓに沿って細長に形成されている。【００２５】
操作部６に、湾曲部４を上下方向に湾曲させる上下用湾曲操作ノブ７と、湾曲部４を左右方向に湾曲させる左右用湾曲操作ノブ９とが設けられている。【００２６】
また、操作部６に、上下用湾曲操作ノブ７の回動位置を固定する固定レバー８と、左右用湾曲操作ノブ９の回動位置を固定する固定ノブ１０とが設けられている。【００２７】
湾曲部４は、先端部３の挿入方向Ｓの基端に連設されている。また、湾曲部４は、上下用湾曲操作ノブ７や左右用湾曲操作ノブ９の回動操作により、例えば上下左右の４方向に湾曲される。このことにより、先端部３内に設けられた図示しない撮像ユニットの観察方向が可変される他、被検体内における先端部３の挿入性が向上される。【００２８】
さらに、操作部６に、先端部３内に設けられた後述する起上台３４を起上または降下させる際、回動操作させる起上台操作ノブ１５が設けられている。【００２９】
また、操作部６に、図示しないガイドワイヤや処置具を内視鏡１の挿入部２内において挿入方向Ｓに沿って設けられた管路である処置具挿通用チャンネル３７に挿通するための処置具挿入口１４が設けられている。【００３０】
先端部３に、該先端部３を構成するとともに、例えば金属から構成された先端硬質部材３０が設けられている。【００３１】
また、先端部３の外周面には、先端硬質部材３０の一外周面側が切り欠かれた凹陥状の切欠部３ｋが形成されている。【００３２】
この切欠部３ｋの一外周面に、送気送水チャンネル３００の先端部３の開口である送気送水チャンネル開口部３０１が形成されている。【００３３】
また、切欠部３ｋの一外周面であって、送気送水チャンネル開口部３０１の近傍に、観察窓３１と、照明窓３２とが設けられている。【００３４】
尚、先端硬質部材３０の周囲には、起上台３４、チャンネル開口部３５、観察窓３１、照明窓３２を除いて覆う、後述する先端カバー９０（図６参照）が設けられている。【００３５】
さらに、先端硬質部材３０内において、チャンネル開口部３５を臨む位置に、起上台３４が設けられている。【００３６】
起上台３４は、処置具挿入口１４から処置具挿通用チャンネル３７内に挿通された処置具やガイドワイヤの進行方向を、挿入方向Ｓから送気送水チャンネル開口部３０１側へと可変する。このことにより、起上台３４は、起上に伴い処置具やガイドワイヤを被検体内の所望の位置へと誘導する。【００３７】
起上台３４は、起上台操作ノブ１５の回動操作によって、挿入部２及び操作部６内に挿通されたワイヤ２０の挿入方向Ｓに沿った牽引または弛緩により、起上または降下自在となっている。【００３８】
次に、本実施の形態の内視鏡洗浄具の構成を、図２〜図１１を用いて示す。【００３９】
図２は、図１の先端カバーを外した内視鏡の先端部側を、内視鏡洗浄具を用いて洗浄消毒する洗浄消毒システムを示す図、図３は、図１の内視鏡の挿入部の先端側と、内視鏡洗浄具とを示す部分斜視図である。【００４０】
また、図４は、図３の内視鏡洗浄具の分解斜視図、図５は、図３の内視鏡洗浄具が、内視鏡の挿入部の先端側に装着された状態を示す部分斜視図である。【００４１】
さらに、図６は、図１の内視鏡の挿入部の先端部に先端カバーを装着する前の状態を示す部分分解斜視図、図７は、図６の先端カバーにおける第１カバーから外された第２カバーを示す斜視図である。【００４２】
また、図８は、図６中のVIII-VIII線に沿う内視鏡の挿入部の先端部に、先端カバーを装着していく途中の状態を示す部分断面図、図９は、図８の内視鏡の挿入部の先端部に、先端カバーを装着した状態を示す部分断面図である。【００４３】
さらに、図１０は、図５中のX-X線に沿う内視鏡の挿入部の先端側及び内視鏡洗浄具の部分断面図、図１１は、図５中のX-XI線に沿う内視鏡の挿入部の先端側及び内視鏡洗浄具の部分断面図である。【００４４】
図３〜図５に示すように、内視鏡洗浄具５０は、内視鏡１の挿入部２の先端側に対し、先端硬質部材３０から後述する先端カバー９０が脱却された状態（図６の左図参照）において、先端部３側から着脱可能である。また、内視鏡洗浄具５０は、洗浄具本体８０を具備している。【００４５】
尚、以下、洗浄具本体８０が、挿入部２の先端側に装着される場合は、全て、先端硬質部材３０から先端カバー９０が取りはずされた状態であるとする。【００４６】
洗浄具本体８０は、内視鏡１を洗浄消毒する際、図５に示すように、挿入部２の先端側に装着された状態において、図２に示すように、洗浄消毒システム２００の洗浄消毒槽１５０内に貯留された流体Ｒに、内視鏡１とともに浸漬される。尚、流体Ｒとしては、洗浄液、消毒液等の薬液が挙げられる。【００４７】
また、洗浄具本体８０は、被覆部である後側部材６０と、先端部３に流体Ｒを供給する流体供給部である前側部材７０とを具備して主要部が構成されている。尚、後側部材６０と前側部材７０とは一体的に形成されていても構わない。【００４８】
後側部材６０は、挿入方向Ｓの先端及び基端に開口６０ａ、６０ｂを有するよう、ポリサルフォンやシリコン等の柔軟な材料からチューブ状に形成されている。【００４９】
また、後側部材６０の外周面に、複数の孔６１が形成されている。孔６１は、図２に示すように、洗浄具本体８０が挿入部２の先端側に装着され洗浄消毒槽１５０内の薬液に浸漬された際、洗浄具本体８０と挿入部２の先端側との間の汚物を、洗浄具本体８０外に排出させやすくするものである。【００５０】
さらに、図３〜図５に示すように、後側部材６０の外周面において、開口６０ａに連通する位置に、前側部材７０に設けられた後述する操作片７１を、洗浄具本体８０外へと露出させる開口窓６２が形成されている。【００５１】
また、後側部材６０は、図５に示すように、挿入部２の先端側に、洗浄具本体８０が装着された際、少なくとも湾曲部４を被覆する長さに挿入方向Ｓに沿って形成されている。【００５２】
具体的には、湾曲部４の外周面４ｇを構成するゴム等から構成された外皮４０は、図８に示すように、湾曲部４の外周面４ｇにおける先端位置において、先端硬質部材３０の外周に対して糸４１ａによって巻き付けられた後、接着剤４１ｂによって固定される。【００５３】
即ち、湾曲部４の外周面４ｇにおける先端に、巻回された糸４１ａが接着剤４１ｂによって固められた先端側接着部４１が配置されている。【００５４】
また、外皮４０は、図３に示すように、湾曲部４の外周面４ｇにおける基端位置において、先端側接着部４１と同様に、可撓管部５の先端外周に対して図示しない糸によって巻き付けられた後、図示しない接着剤によって固定される。【００５５】
即ち、湾曲部４の外周面４ｇにおける基端に、巻回された糸が接着剤によって固められた基端側接着部４２が配置されている。【００５６】
後側部材６０は、図５に示すように、挿入部２の先端側に、洗浄具本体８０が装着された際、図５、図１０、図１１に示すように、挿入方向Ｓにおいて、先端側接着部４１及び基端側接着部４２の双方を被覆可能な長さに形成されている。【００５７】
さらに、後側部材６０は、図１０、図１１に示すように、挿入部２の先端側に、洗浄具本体８０が装着された際、先端側接着部４１の外周面４１ｇ及び基端側接着部４２の外周面４２ｇと、後側部材６０の内周面６０ｎとの間に隙間部Ｋを形成するよう、湾曲部４の外周に被覆される。【００５８】
このことにより、図２に示すように、洗浄具本体８０が洗浄消毒槽１５０において薬液に浸漬された状態において、隙間部Ｋにも薬液が供給される。このことから、先端側接着部４１及び基端側接着部４２表面に薬液を充分接触させることができるため、両接着部４１、４２に対して確実な洗浄消毒効果を期待できる。【００５９】
前側部材７０は、図３、図４に示すように、後側部材６０の開口６０ａに対して固定もしくは着脱自在であり、例えばプラスチックから構成されている。【００６０】
また、前側部材７０に、流体供給ポート７３、７４、７５が設けられている。尚、各ポート７３〜７５は、図１１に示すように、前側部材７０のそれぞれ接続ポート７０ｘ、７０ｙ、７０ｚに固定もしくは着脱自在である。【００６１】
流体供給ポート７３〜７５及び接続ポート７０ｘ〜７０ｚは、図２に示すように、内部に管路７３ｉ、７４ｉ、７５ｉをそれぞれ有している。【００６２】
また、流体供給ポート７３〜７５は、各管路７３ｉ〜７５ｉの開口である各ポート接続口７３ｓ、７４ｓ、７５ｓに、ポンプを内蔵した洗浄機１０１や、シリンジ１０２等と接続自在となっている。【００６３】
さらに、流体供給ポート７３〜７５は、内部の管路７３ｉ〜７５ｉに、接続された洗浄機１０１やシリンジ１０２から流体Ｒが流入可能となっている。【００６４】
尚、流体供給ポート７３〜７５を介した流体Ｒの供給は、内視鏡１の洗浄消毒処理に際して、常時行うものではなく、先端部３を洗浄消毒する際に一時的に行われるものである。よって、流体供給ポート７３〜７５を介した流体Ｒの供給は、洗浄消毒槽１５０内において先端部３が薬液に浸漬された状態で行われるのではなく、浸漬される前に行われる。【００６５】
また、流体供給ポート７５の管路７５ｉに、送気送水チャンネル３００を洗浄するためのブラシ１０３がポート接続口７５ｓを介して挿抜自在となっている。【００６６】
流体供給ポート７３は、図５に示すように、挿入部２の先端側に、洗浄具本体８０が装着された際、管路７３ｉの開口である流体供給口の中心軸Ｃ１が、起上台３４の処置具やガイドワイヤの誘導面に対向する。このことにより、該誘導面に流体供給口から流体Ｒを供給する。【００６７】
また、流体供給ポート７４は、図５に示すように、挿入部２の先端側に、洗浄具本体８０が装着された際、管路７４ｉの開口である流体供給口の中心軸Ｃ２が、起上台３４の裏面側に対向する。このことにより、該裏面側に流体供給口から流体Ｒを供給する。【００６８】
また、流体供給ポート７５は、図５に示すように、挿入部２の先端側に、洗浄具本体８０が装着された際、流体Ｒやブラシ１０３を、送気送水チャンネル開口部３０１を介して送気送水チャンネル３００に供給したり、流体Ｒを、隙間部Ｋに供給したりするものである。【００６９】
具体的には、流体供給ポート７５は、図１１に示すように、接続ポート７０ｚ内において、管路７５ｉが７５ｉａ、７５ｉｂの２つに分岐されている。【００７０】
図５に示すように、挿入部２の先端側に、洗浄具本体８０が装着された際、一方の管路７５ｉａの第１供給口７５ａは、中心軸Ｃ４の延長線が隙間部Ｋに向かって対向するよう形成されている。また、他方の管路７５ｉｂの第２供給口７５ｂは、中心軸Ｃ３の延長線が、送気送水チャンネル開口部３０１に対向するよう形成されている。【００７１】
よって、ポート接続口７５ｓを介して管路７５ｉに流入された流体Ｒは、管路７５ｉａの第１供給口７５ａから隙間部Ｋに供給される。【００７２】
このことから、図２に示すように、洗浄具本体８０が洗浄消毒槽１５０において薬液に浸漬された状態において、隙間部Ｋに気泡等が混入されていたとしても、流体Ｒの供給により、隙間部Ｋから気泡等を確実に除去することができる。さらに、湾曲部４の外周面４ｇに対する確実な洗浄消毒効果を期待することができる。【００７３】
また、流体Ｒは、管路７５ｉｂの第２供給口７５ｂから送気送水チャンネル開口部３０１を介して送気送水チャンネル３００に供給される。【００７４】
さらに、ポート接続口７５ｓを介して管路７５ｉに挿通されたブラシ１０３は、管路７５ｉｂの第２供給口７５ｂから送気送水チャンネル開口部３０１を介して送気送水チャンネル３００に導入される。【００７５】
この際、中心軸Ｃ３の延長線は、送気送水チャンネル開口部３０１に対向しているとともに、管路７５ｉｂと管路７５ｉとは同軸状に形成されている。このことから、操作者は、ポート接続口７５ｓからブラシ１０３を挿入するだけで、管路７５ｉ、７５ｉｂ、第２供給口７５ｂ、送気送水チャンネル開口部３０１を介して送気送水チャンネル３００に簡単にブラシ１０３を導入させることができる。【００７６】
尚、図２、図３に示すように、流体供給ポート７５は、流体供給ポート７３、７４よりも大きく形成されている。【００７７】
このことにより、操作者に対して、３つのポート７３〜７５の内、ブラシ１０３を挿入するポートは、流体供給ポート７５であることを容易に視認させることができる。【００７８】
尚、図３に示すように、指標７６がポート７５に設けられていることにより、ブラシ１０３を挿入するポートは、流体供給ポート７５であることを操作者に視認させてもよい。【００７９】
また、管路７５ｉａ、７５ｉｂは、管路７５ｉから分岐されていると示したが、それぞれ別個に、流体供給ポート７５及び接続ポート７０ｚ内に設けられていても構わない。【００８０】
さらに、前側部材７０に、図３〜図５に示すように、係合孔７２を有するＬ字状の操作片７１が設けられている。【００８１】
操作片７１は、図１０に示すように、把持部７１ｈが、上述した開口窓６２により、洗浄具本体８０外へと延出されているとともに、把持部７１ｈは、開口窓６２により洗浄具本体８０外に露出されている。【００８２】
このことにより、図２に示すように、洗浄具本体８０が洗浄消毒槽１５０において薬液に浸漬された状態において、開口窓６２により操作片７１にも薬液を接触させることができる。【００８３】
操作片７１は、図５に示すように、挿入部２の先端側に、洗浄具本体８０が装着された際、先端硬質部材３０に形成された係合ピン３３に係合孔７２が係合されることにより、挿入部２の先端側に洗浄具本体８０を係止させる。【００８４】
さらに、操作片７１は、図５に示すように、挿入部２の先端側に、洗浄具本体８０が装着されている状態から、操作者により把持部７１ｈが傾倒されることにより、係合ピン３３に対する係合孔７２の係合状態を解除して、図３に示すように、挿入部２の先端側から洗浄具本体８０を脱却するために用いられる。【００８５】
尚、内視鏡１を通常使用する際は、即ち、洗浄消毒を行わない場合は、挿入部２の先端側には、洗浄具本体８０は装着されておらず、先端硬質部材３０に、図９に示すように、先端カバー９０が装着されている。尚、先端カバー９０は、ディスポーザブルであっても構わない。【００８６】
先端カバー９０は、図６、図８に示すように、先端硬質部材３０側から装着されるものであり、図６に示すように、第１カバー９１と第２カバー９２とから構成されている。【００８７】
第１カバー９１は、例えばプラスチックから構成されており、外周面に形成された係止孔９１ｈが、先端硬質部材３０の係合ピン３３に係合されることにより、先端硬質部材３０に先端カバー９０が係止される。【００８８】
即ち、係合ピン３３は、先端カバー９０の係止用のピンと、洗浄具本体８０の係止用のピンとを兼用している。【００８９】
第２カバー９２は、例えばゴムからなるリング状に構成されており、第１カバー９１の基端側の外周に嵌合される。【００９０】
また、第２カバー９２は、図７に示すように、挿入方向Ｓの先端に、屋根部９２ｙを有している。【００９１】
屋根部９２ｙは、図９に示すように、先端カバー９０が先端硬質部材３０に装着された際、送気送水チャンネル開口部３０１の前方に位置して送気送水チャンネル開口部３０１の前方を覆う。【００９２】
このことによって、切欠部３ｋとの間に、送気送水チャンネル開口部３０１に連通するノズル開口部９２ｎを形成する。即ち、屋根部９２ｙは、ノズルＮとして機能する。【００９３】
ノズル開口部９２ｎは、内視鏡１の通常使用の際、送気送水チャンネル３００に供給された流体を、観察窓３１や照明窓３２に局所的に供給するためのものである。【００９４】
尚、ノズルＮは、先端カバー９０に形成されていることにより、先端硬質部材３０から先端カバー９０が脱却されると、先端硬質部材３０から外れる。即ち、送気送水チャンネル開口部３０１の前方からなくなり、送気送水チャンネル開口部３０１は露出される。【００９５】
このことにより、挿入部２の先端側に洗浄具本体８０が装着され、第２供給口７５ｂから送気送水チャンネル開口部３０１を介して送気送水チャンネル３００にブラシ１０３を供給する際、ノズルＮが邪魔をしないことから、ブラシ１０３を送気送水チャンネル３００内に簡単に挿入できる。【００９６】
このように、本実施の形態においては、洗浄具本体８０の後側部材６０は、挿入部２の先端側に洗浄具本体８０が装着された際、先端側接着部４１及び基端側接着部４２を覆う長さに形成されていると示した。【００９７】
このことによれば、挿入部２の先端側に洗浄具本体８０が装着された状態において、図２に示すように、内視鏡１を洗浄消毒槽１５０内に載置した際、先端側接着部４１及び基端側接着部４２は、後側部材６０によって覆われているため、洗浄消毒槽１５０に接触することがない。【００９８】
即ち、先端側接着部４１及び基端側接着部４２の表面に傷が付着くことがないため、先端側接着部４１及び基端側接着部４２を構成する接着剤の劣化スピードを低減させることができる。【００９９】
さらに、洗浄消毒槽１５０において薬液に内視鏡１を一定時間浸漬する場合においても、先端側接着部４１及び基端側接着部４２は、当然、隙間部Ｋに導入された薬液に接触する。【０１００】
ところが、先端側接着部４１及び基端側接着部４２は、後側部材６０によって覆われているため、常に新鮮なケミカルアタック性の強い流体Ｒが供給されてしまうことがないことから、先端側接着部４１及び基端側接着部４２を構成する接着剤の劣化スピードを低減させることができる。【０１０１】
以上から、湾曲部４の外周面４ｇに露出された先端側接着部４１及び基端側接着部４２の洗浄消毒処理に対する耐久性を向上させることができる内視鏡洗浄具５０を提供することができる。【０１０２】
尚、以下、変形例を、図１２を用いて示す。図１２は、図４の内視鏡洗浄具の洗浄具本体における後側部材を、網状管から構成した変形例を示す斜視図である。【０１０３】
図１２に示すように、後側部材６０は、可撓性を有する網状管から構成されていても構わない。【０１０４】
このことによれば、後側部材６０をポリサルフォンやシリコン等から構成する場合よりも、安く製造することができる他、網目から内部に流体Ｒを導入しやすくなるといった利点がある他、柔軟であることから、湾曲部４の湾曲に追従しやすくなる。【０１０５】
また、以下、別の変形例を、図１３を用いて示す。図１３は、図３の内視鏡洗浄具のブラシが挿通される流体供給ポートのみ、他のポートよりも長く形成された変形例を示す斜視図である。【０１０６】
図１３に示すように、操作者に、ブラシを挿通させるポートが、流体供給ポート７５であることを容易に視認させるため、ポート７５が他のポート７３、７４よりも長く形成されていても構わない。【０１０７】
また、上述した本実施の形態においては、内視鏡は、側視型の内視鏡を例に挙げて示したが、これに限らず、処置具挿通チャンネルに起上台が設けられた直視型の内視鏡にも内視鏡洗浄具５０は適用可能である。【０１０８】
さらに、内視鏡に限定されず、カテーテル等の挿入部の先端部に起上台を有する処置具にも内視鏡洗浄具５０は適用可能であることは云うまでもない。
【図１】
0006901636.tif 000002
【図２】
0006901636.tif 000003
【図３】
0006901636.tif 000004
【図４】
0006901636.tif 000005
【図５】
0006901636.tif 000006
【図６】
0006901636.tif 000007
【図７】
0006901636.tif 000008
【図８】
0006901636.tif 000009
【図９】
0006901636.tif 000010
【図１０】
0006901636.tif 000011
【図１１】
0006901636.tif 000012
【図１２】
0006901636.tif 000013
【図１３】
0006901636.tif 000014